(57)【要約】【課題】複数の配線・端子が近接し配置されている端子部および被覆配電線の通電状態を的確に作業者に伝達しヒューマンエラーを低減する。【解決手段】電位可視化装置は、直流電圧を印加される電圧印加部と、電圧印加部から対象導体２ａ〜２ｄ、３ａ〜３ｄに近接する側に設けられ電圧印加部の電圧と対象導体２ａ〜２ｄ、３ａ〜３ｄの電位とに応じた誘導電圧が発生する複数の誘導電極４ａ〜４ｘと、各誘導電極４ａ〜４ｘの電圧を個別に計測する誘導電圧測定部と、電圧印加部の電圧と誘導電圧測定部で計測した電圧とに基づき対象導体２ａ〜２ｄ、３ａ〜３ｄの各電位を推定する電位推定部と、電位推定部で推定された各電位を表示する複数の電位表示部６ａ〜６ｘと、電位表示部６ａ〜６ｘの表示を制御する表示制御部と、を具備し、検査対象部である対象導体２ａ〜２ｄ、３ａ〜３ｄの電位を表示する。【選択図】図１
2013207842.tif 000002
【特許請求の範囲】
【請求項１】
検査対象である対象導体の電位を表示する電位可視化装置において、
直流電圧を印加される電圧印加部と、
前記電圧印加部からは前記対象導体に近接する側に設けられ、前記電圧印加部への印加電圧と前記対象導体の電位とに応じた誘導電圧が発生する複数の誘導電極と、
前記各誘導電極の電圧を個別に計測する誘導電圧測定部と、
前記電圧印加部の電圧と、前記誘導電圧測定部で計測した電圧とに基づき、検査対象部である前記対象導体の電位を推定する電位推定部と、
前記電位推定部で推定された電位を表示する複数の電位表示部と、
前記電位表示部の表示を制御する表示制御部と、
を具備することを特徴とする電位可視化装置。
【請求項２】
前記電圧印加部に電源を供給するために所定の範囲の直流電圧を発生する可変電圧発生装置をさらに具備することを特徴とする請求項１に記載の電位可視化装置。
【請求項３】
前記電位推定部は、前記検査対象部の電位と前記電圧印加部の電圧とこれらに応じて生ずる前記誘導電極の電圧との関係を表す特性データを保持しており、この特性データと前記誘導電圧および前記印加電圧との照合により、検査対象部の電位を推定することを特徴とする請求項１または請求項２に記載の電位可視化装置。
【請求項４】
前記検査対象部と前記誘導電極間の間隔寸法値を測定する間隔測定部をさらに備え、
前記電位推定部は、前記間隔測定部の測定結果に応じて、検査対象部の電位を推定する、
ことを特徴とする請求項３に記載の電位可視化装置。
【請求項５】
前記電位推定部は、前記電圧印加部の電圧と前記誘導電極の電圧とから電位勾配を演算する勾配演算部と、前記電位勾配と前記間隔寸法値とから前記検査対象部の電位を推定する外挿演算部とを有する、
ことを特徴とする請求項４に記載の電位可視化装置。
【請求項６】
前記電位推定部は、複数の前記検査対象部の各電位値と電圧印加部の複数の電圧値により生ずる前記誘導電極の電圧値の関係を表すパターンを保持しており、パターン化した複数種類のパターンデータとのパターンマッチングにより前記検査対象部の各電位を推定することを特徴とする請求項１または請求項２に記載の電位可視化装置。
【請求項７】
前記検査対象部の各電位に対して、前記電圧印加部の印加電圧を変化させた場合の前記誘導電極の電圧の変化パターンのパターンデータを記憶するパターンデータ記憶部をさらに備え、
前記電位推定部は、
前記印加電圧の順番に対応して、前記パターンデータ記憶部に記憶されたパターンデータと順次比較し、候補データを順次選択する比較選択部と、
最終的にマッチするパターンを選択し、前記検査対象部の電位の推定値を決定する推定電位決定部と、
を有することを特徴とする請求項６に記載の電位可視化装置。
【請求項８】
前記電圧印加部は、前記検査対象部で想定される電位と同等の電圧範囲の電圧を順次印加することを特徴とする請求項１ないし請求項７のいずれか一項に記載の電位可視化装置。
【請求項９】
前記表示制御部は、電位表示シート近傍の前記誘導電極の電圧レベルに応じて、電位表示シートの色相および色の濃淡の少なくともいずれかを変化させることを特徴とする請求項１ないし請求項８のいずれか一項に記載の電位可視化装置。
【請求項１０】
前記誘導電極は、複数が一方向に配列する対象導体に対向して複数が一方向に配列され、
前記各誘導電極および前記電圧印加部は同一の保護部内に収納され、
前記保護部は、前記対象導体の計測時には該対象導体が設置されている台座上面にその下面を密着させ、
前記各誘導電極と前記電圧印加部との相対位置は、前記保護部の下面の広がる方向であって、前記配列の方向とは垂直の方向に所定の長さ以上の間隔を有し、かつ前記保護部の下面に垂直方向に所定の長さ以下の間隔である、
ことを特徴とする請求項１ないし請求項９のいずれか一項に記載の電位可視化装置。
【請求項１１】
前記誘導電極、前記電圧印加部および前記電位表示部は膜状で透明であることを特徴とする請求項１ないし請求項１０のいずれか一項に記載の電位可視化装置。
【請求項１２】
前記誘導電圧測定部は、複数の誘導電極の電圧を測定し、膜状であり、
前記電位表示部は、前記複数の誘導電極の電圧を表示する膜状で透明であり、
前記電位表示部は、前記誘導電圧測定部と重ねて配置されること、
を特徴とする請求項１ないし請求項１１のいずれか一項に記載の電位可視化装置。
【請求項１３】
電位可視化装置を検査対象部近くに設置するステップと、
前記状態可視化装置の可変電圧発生装置より所定の直流電圧を発生させるステップと、
誘導電圧測定部が、印加電圧と誘導電圧を計測するステップと、
電位推定部が、前記印加電圧および誘導電圧に基づいて検査対象部の電位を推定するステップと、
表示制御部が、電位表示部に検査対象部の電位を表示させるステップと、
を有することを特徴とする電位検査方法。
【発明の詳細な説明】
【技術分野】
【０００１】
本発明は、配電盤などの電気盤内の通電状態等を確認するための電位可視化装置と、電位検査方法に関する。
【背景技術】
【０００２】
受変電盤や分電盤等の配電盤内に収容された端子部および被覆配電線の通電状態を把握することは、その部分の端子の取り外し等の場合のみならず、その付近で作業する場合においても、作業者の安全上、また設備の保全上重要である。
【０００３】
端子部および被覆配電線の通電状態を表示するような装置としては、特許文献１に述べられているような検電器が知られている。検電器は、計測対象に近接又は接触させることにより前記計測対象の電圧を検出するプローブを有し、プローブで検出した電圧を回路等の容量で分圧し、計測対象の通電状態を検査するものである。
【０００４】
一方、このような電圧の分圧を利用しないものとしては、特許文献２に記載の誘導電流で通電を監視するもの、特許文献３に記載のように特定の周波数の電磁波を計測対象に照射し、その反射波で観測するものがある。
【先行技術文献】
【特許文献】
【０００５】
【特許文献１】特開平６−２３５７３９号公報
【特許文献２】特許第２９３７２１６号公報
【特許文献３】特許第４１６１５７６号公報
【発明の概要】
【発明が解決しようとする課題】
【０００６】
発電所などのプラントでは端子ボックスに多数の端子が集中しており、また、それら１点１点を特許文献１のように検電器で検査することは、計測対象の端子への近接に非常に注意を要する等の作業性の悪さばかりではなく、隣の配線・端子を間違って検電するなどのヒューマンエラーや事故の発生も招きやすい。
【０００７】
特許文献２のように、あらかじめ各配線にプローブを設けておく方法も有効であるが、その場合も間違ったプローブを計測する可能性があり、またコスト的にも問題がある。また、特許文献３に記載の方法では、細かな配線・端子の集中している対象の場合には、その一部のみに電磁波を当てることは困難であり、通電の監視はできない。
【０００８】
そこで、本発明は、複数の配線・端子が近接し配置されている端子部および被覆配電線等の検査対象部の電位を的確に作業者に伝達しヒューマンエラーを低減することを目的とする。
【課題を解決するための手段】
【０００９】
上述の目的を達成するため、本発明は、検査対象である対象導体の電位を表示する電位可視化装置において、直流電圧を印加される電圧印加部と、前記電圧印加部からは前記対象導体に近接する側に設けられ、前記電圧印加部への印加電圧と前記対象導体の電位とに応じた誘導電圧が発生する複数の誘導電極と、前記各誘導電極の電圧を個別に計測する誘導電圧測定部と、前記電圧印加部の電圧と、前記誘導電圧測定部で計測した電圧とに基づき、検査対象部である前記対象導体の各電位を推定する電位推定部と、前記電位推定部で推定された各電位を表示する複数の電位表示部と、前記電位表示部の表示を制御する表示制御部と、を具備することを特徴とする。
【００１０】
また、本発明は、電位検査方法において、電位可視化装置を検査対象部近くに設置するステップと、前記状態可視化装置の可変電圧発生装置より所定の直流電圧を発生させるステップと、誘導電圧測定部が、印加電圧と誘導電圧を計測するステップと、電位推定部が、前記印加電圧および誘導電圧に基づいて検査対象部の電位を推定するステップと、表示制御部が、電位表示部に検査対象部の電位を表示させるステップと、を有することを特徴とする。
【発明の効果】
【００１１】
本発明によれば、複数の配線・端子が近接し配置されている端子部および被覆配電線等の検査対象部の電位を的確に作業者に伝達しヒューマンエラーを低減することができる。
【図面の簡単な説明】
【００１２】
【図１】本発明に係る電位可視化装置の第１の実施形態の構成を示す平面図である。
【図２】本発明に係る電位可視化装置の第１の実施形態の構成を示す正面図である。
【図３】本発明に係る電位可視化装置の第１の実施形態の構成を示す側面図である。
【図４】本発明に係る電位可視化装置の第１の実施形態における回路部分の構成を示す図である。
【図５】本発明に係る電位可視化装置の第１の実施形態において計測対象が５Ｖの場合における印加電圧に対する誘導電極の電圧分布を示す図である。
【図６】本発明に係る電位可視化装置の第１の実施形態において計測対象が０Ｖの場合における印加電圧に対する誘導電極の電圧分布を示す図である。
【図７】本発明に係る電位可視化装置の第１の実施形態において計測対象が１０Ｖの場合における印加電圧に対する誘導電極の電圧分布を示す図である。
【図８】本発明に係る電位可視化装置の第１の実施形態において計測対象電圧が不定の場合における印加電圧に対する誘導電極の電圧分布を示す図である。
【図９】本発明に係る電位可視化装置の第１の実施形態において計測対象がマイナス５Ｖの場合における印加電圧に対する誘導電極の電圧分布を示す図である。
【図１０】本発明に係る電位可視化装置の第１の実施形態において計測対象の電圧が変化した場合における印加電圧に対する誘導電極の電圧分布の比較図である。
【図１１】本発明に係る電位可視化装置の第２の実施形態における各電極の配置を示す構成図である。
【図１２】本発明に係る電位可視化装置の第２の実施形態における２次元の通電状態の表示を示す平面図である。
【図１３】本発明に係る電位可視化装置の第３の実施形態の構成を示す図である。
【図１４】本発明に係る電位可視化装置の第３の実施形態における電位推定部を中心とした回路の構成を示すブロック図である。
【図１５】本発明に係る電位可視化装置の第４の実施形態における電位推定部を中心とした回路の構成を示すブロック図である。
【図１６】本発明に係る電位可視化装置の第５の実施形態の構成を示す概念図である。
【図１７】本発明に係る電位可視化装置の第５の実施形態の使用の概念図である。
【発明を実施するための形態】
【００１３】
以下、図面を参照して本発明に係る電位可視化装置の実施形態について説明する。ここで、同一または類似の部分には、共通の符号を付して、重複説明は省略する。
【００１４】
［第１の実施形態］
図１は、本発明に係る電位可視化装置の第１の実施形態の構成を示す平面図である。また、図２は、本実施形態の構成を示す正面図であり、図３は、本実施形態の構成を示す側面図である。
【００１５】
絶縁物である端子台座１と、その表面に設けられた複数の金属端子２ａ〜２ｄ（以下総称する場合は「金属端子２」とする。）と、金属端子２ａ〜２ｄによって固定された被覆配電線３ａ〜３ｄ（以下総称する場合は「被覆配電線３」とする。）がある。
【００１６】
被覆配電線３およびこの金属端子２は、電気盤（図示せず。）内に収納されている。ここで、電気盤は、受変電盤や分電盤等の配電盤ばかりでなく、制御盤、計装盤、継電器盤などの計装用の電源を使用する盤も含むものとする。
【００１７】
盤内の作業を行う際には、この金属端子２ａ〜２ｄおよび被覆配電線３ａ〜３ｄに電位が生じているか否かすなわち通電状態を把握して作業を行う必要があり、これらの部分が検査対象部５０である。
【００１８】
本実施形態に係る電位可視化装置は、誘導電極４ａ、４ｂ、・・・、４ｘ（以下総称する場合は「誘導電極４」とする。）と、電圧印加部である電圧印加シート５と、複数の電位表示部６ａ、６ｂ、・・・、６ｘ（以下総称する場合は「電位表示部６」とする。）と、これらを内蔵し、ぞれぞれの電極を電気的に絶縁する保護部７である保護シートを有する。また、電圧印加シート５には、可変電圧発生装置８により所定の電圧が印加される。
【００１９】
誘導電極４ａ、４ｂ、・・・、４ｘは、検査対象部５０と電圧印加シート５間に設けられ、電圧印加シート５に電圧が印加されると、検査対象部５０の電圧と電圧印加シートに印加された電圧とに応じた誘導電圧が誘導電極４ａ、４ｂ、・・・、４ｘに発生する。
【００２０】
誘導電極４、電圧印加シート５は例えばディスプレーや発光素子などに用いられている光透過性を有しつつ導電性を有する透明電極を用いる。例えば、酸化インジュウムスズ（ＩＴＯ）があるが、そのほか、ナノメッシュ金属などを用いることもできる。
【００２１】
また、金属端子２ａ〜２ｄの通電状態を計測するため、保護部７を金属端子２ａ〜２ｄ近傍に設置しているが、被覆配電線３ａ〜３ｄを計測する場合は、被覆配電線３ａ〜３ｄの上に保護シートすなわち保護部７を貼り付ける。
【００２２】
電圧印加シート５の誘導電極４ａ、４ｂ、・・・、４ｘの反対側、すなわち検査対象部５０と反対側には、電位表示部６ａ、６ｂ、・・・、６ｘが設けられ、検査対象部５０の電位を表示する。
【００２３】
図４は、本実施形態における回路部分の構成を示す図である。
【００２４】
可変電圧発生装置８と、誘導電圧測定部９と、電位推定部１１と、表示制御部１２が設けられている。
【００２５】
可変電圧発生装置８は電圧印加シート５に電圧を印加する。誘導電圧測定部９は、電圧印加シート５に印加した電圧に応じて誘導電極４ａ〜４ｄに誘導する電圧を個別に計測する。電位推定部１１は、誘導電圧測定部９の観測結果から計測対象の電位を推定する。表示制御部１２は電位推定部１１での推定結果に応じて電圧表示シートに電圧を表示する。
【００２６】
これらの配置は、検査対象部５０の形状、電圧等の特性に応じて決定するもので、形状によってはそれぞれの電極を重ねる場合もある。
【００２７】
図５は、本実施形態において計測対象が５Ｖの場合における印加電圧に対する誘導電極の電圧分布を示す図である。同様に、図６は、計測対象が０Ｖの場合、図７は、１０Ｖの場合、図８は、計測対象電圧が不定の場合、図９は、マイナス５Ｖの場合における印加電圧に対する誘導電極４ａ〜４ｘの電圧分布を示す図である。
【００２８】
すなわち、図５（ａ）〜（ｃ）から図９（ａ）〜（ｃ）の各図における計測対象の電圧の場合に、電圧印加シート５に印加する電圧を、５Ｖ（各図（ａ））、マイナス５Ｖ（各図（ｂ））、０Ｖ（各図（ｃ））と変化させた場合の誘導電極４ａ〜４ｘに生ずる誘導電圧の変化を示している。
【００２９】
各図に示すように、計測対象の電圧と電圧印加シート５に印加された電圧の組み合わせに応じた誘導電圧が生じている。
【００３０】
図１０は、本実施形態において計測対象の電圧が変化した場合における印加電圧に対する電圧分布の比較図である。
【００３１】
図１０において、計測対象の電圧が５Ｖ（（ａ））、０Ｖ（（ｂ））、１０Ｖ（（ｃ））、マイナス５Ｖ（（ｄ））、不定（（ｅ））の各ケースについて、電圧印加シート５に、５Ｖ、−５Ｖ、０Ｖを順次印加した場合の、電圧印加シート５の電圧変化の時間トレンド（実線）と、誘導電極４に生ずる誘導電圧の時間的変化（破線）をまとめたものである。このように、過渡電圧を与えることにより、誘導電極４との間のインダクタンスおよび静電容量に依存した時間応答が得られるので、その過渡履歴から端子の電圧印加状態を推定することができる。特に、不定の場合は、トレンドの形状が、電圧が一定の場合よりも鈍った特性となり、識別が可能である。
【００３２】
以上のように構成された本実施形態においては計測対象の電位を推定することができる。すなわち、先ず、図１０のような各計測対象の電圧について、電圧印加シート５の電圧変化の時間変化と、誘導電極４に生ずる誘導電圧の時間的変化の特性データを準備しておく。次に、電圧印加シート５に５Ｖ、−５Ｖ、０Ｖを順次印加し、誘導電極４に生ずる誘導電圧の時間的変化を確認する。この時間的変化と、前記の特性データとを照合することにより、最も近似すると考えられる時間的変化を与えるケースが計測対象の電位であろうと推定することができる。
【００３３】
［第２の実施形態］
図１１は、本発明の第２の実施形態に係る電位可視化装置における各電極の配置を示す構成図である。
【００３４】
計測対象である金属端子２ａ〜２ｄおよび被覆配電線３ａ〜３ｄが、図１１のように両側に並んでいる場合にも適用できることを示している。
【００３５】
計測対象に近い方から、誘導電極４ａ〜４ｘ、電圧印加シート５、電位表示部６ａ〜６ｘの順に層状に配置されている。また、この配置された列は、金属端子２ａ〜２ｄおよび被覆配電線３ａ〜３ｄの並び方向に複数配置されているとともに、この列が３列存在する。
【００３６】
図１２は、本実施形態における２次元の通電状態の表示を示す平面図である。電位表示部６ａ〜６ｘが左側の列、中央の列、右側列の３組により表示される。
【００３７】
図１２のように、左側の各計測対象の電圧、右側の各計測対象の電圧はそれぞれ異なっていても、電位表示部６ａ〜６ｘの組のそれぞれが、近接した各計測対象の電位と電圧印加シート５に印加された電圧に応じた誘導電圧に対応した表示がなされる。
【００３８】
本実施形態によれば、端子部が向かい合うような対象についても、一時に各計測対象の電位を推定することができる。
【００３９】
［第３の実施形態］
図１３は、本発明に係る電位可視化装置の第３の実施形態の構成を示す図である。
【００４０】
基本的な構成は、第１の実施形態と同様であるが、図１３のように間隔測定部２１が設けられている。間隔測定部２１は、計測対象と誘導電極４ａ〜４ｘ間の距離を測定する。
【００４１】
間隔測定部２１は、たとえば、誘導電極４ａ〜４ｘ、電圧印加シート５、電位表示部６ａ〜６ｘを収納する透明な保護部７を、計測対象の近傍の端子台座１上に図１３のように設置したときに、端子台座１に着座した後連動して移動する計測部などでもよい。
【００４２】
このような構成においては、電圧分布は、計測対象である金属端子２ａ〜２ｄ、誘導電極４ａ〜４ｘおよび電圧印加シート５の相互の距離や、これらの間に存在する構造物の構成によって変化する。
【００４３】
しかしながら、検査対象機器の範囲は特定されているのが通常であり、これらを対象に本装置を用いようとする場合には、対象部の形状が大幅に変わることはないため、これらの距離を測定し、電磁界解析により、印加電圧に対する誘導電圧の関係を事前に確認しておくことにより、校正が可能である。
【００４４】
また、構成が、特定の範囲の距離関係にない場合には、予め詳細な解析をすることは困難であるが、このような場合には、精度よりも検査対象のおおよその電位が分かるだけでも有効である。次にこのような場合について説明する。
【００４５】
図１４は、本実施形態における電位推定部を中心とした回路の構成を示すブロック図である。電位推定部１１は、勾配演算部２２および外挿演算部２３とを有する。
【００４６】
計測対象と電圧印加シート５間の電位分布を直線的と仮定すると、間隔測定部２１により測定された計測対象と誘導電極４ａ〜４ｘ間の距離Ｄｉおよび既知の誘導電極４ａ〜４ｘと電圧印加シート５間の距離Ｄｓとに基づき計測対象の電圧が推定できる。
【００４７】
勾配演算部２２では、電圧印加シート５に印加された電圧Ｖｓおよび誘導電極４ａ〜４ｘに生じた誘導電圧Ｖｉと、前記の距離Ｄｓに基づき電位勾配を求める。
【００４８】
外挿演算部２３では、勾配演算部２２で求めた電位勾配と、固定距離Ｄｓに基づき図１４のように外挿することによりによって、計測対象の電圧Ｖｏが求められる。
【００４９】
なお、本実施形態においては、計測対象と電圧印加シート５間の電位分布を直線的と仮定したが、相互の形状、配置等を考慮して、各状態に適した分布として推定を行うことができる。
【００５０】
以上のように構成された本実施形態においては、必ずしも同じ形態で計測を実施することができない場合においても、その距離を計測することにより、より正確な電位の推定を行うことができる。
【００５１】
［第４の実施形態］
図１５は、本発明の第４の実施形態に係る電位可視化装置における電位推定部を中心とした回路の構成を示すブロック図である。
【００５２】
本実施形態は、第１に実施形態の場合の構成と比べ、さらにパターンデータ記憶部２６を備えている。パターンデータ記憶部２６は、図１０に示すような、各計測対象の電圧についての電圧印加シート５の電圧変化の時間変化と誘導電極４ａ〜４ｘに生ずる誘導電圧の時間的変化の特性データを記憶する。
【００５３】
電位推定部１１は、比較選択部２４および推定電位決定部２５を有する。
【００５４】
比較選択部２４は、電圧印加シート５に印加された電圧Ｖｓおよび誘導電極４ａ〜４ｘに生じた誘導電圧Ｖｉとを入力として、電圧Ｖｓの変化ステップに応じて、各ステップごとに比較選択部２４のデータと順次照合し選択を行う。
【００５５】
推定電位決定部２５は、比較選択部２４により選択されたデータケースが複数あった場合に、最も計測結果に近いケースを選択するものである。ここでの選択方法は、最小二乗法等の通常の算定法でもよい。
【００５６】
以上のように構成された本実施形態において、電圧印加シート５にたとえば、５Ｖ、−５Ｖ、０Ｖの電圧Ｖｓを順次印加する。誘導電極４ａ〜４ｘに、印過電圧と計測対象の電位に応じて順次誘導電圧Ｖｉが生ずる。
【００５７】
各印加のステップにおいて、比較選択部２４は、ＶｓおよびＶｉを入力として、許容範囲で合致するデータケースを選択する。次の印加のステップにおいて、許容範囲で合致するデータケースを前ステップで選択したデータケースの中から選択する。このようにして、最後のステップ、たとえば５Ｖ→０Ｖ→マイナス５Ｖと変化させる場合は３回目のステップまでに絞り込みを行う。
【００５８】
この絞込みの結果は、推定電位決定部２５に出力される。
【００５９】
推定電位決定部２５は、比較選択部２４から出力された選定データケースが複数ある場合は、最も近似するデータケースを選択する。また、１つのデータケースのみが出力された場合は、そのデータケースを選択する。推定電位決定部２５は、選択したデータケースに対応する計測対象の電位を出力し、表示制御部１２は、この電位に見合った表示を行う。
【００６０】
なお、本実施形態においては、順次絞り込む方法を説明したが、ステップを通じて得られた変化のパターンと、パターンデータ記憶部２６に記憶された各パターンデータとを比較し、たとえば、画像的なパターンを比較評価するパターンマッチング（イメージマッチング）の方法により選択してもよい。あるいは、パターン内の各ステップにおける測定値を要素として、パターンデータ記憶部２６に記憶された各パターンデータとの間での差に基づく近似か否かの評価を行ってもよい。
【００６１】
以上のように構成された本実施形態により、電圧印加シートへの電圧の印加の結果、自動的に最も確からしい計測対象の推定電位に見合った表示を行うことができる。
【００６２】
［第５の実施形態］
図１６は、本発明に係る電位可視化装置の第５の実施形態の構成を示す概念図である。
【００６３】
検査対象部５０上に、透明膜状センサ３１と、透明表示部３２が貼られている。透明膜状センサ３１は、電圧、電磁界強度、温度などの２次元分布を計測する。透明表示部３２はセンサ位置のこれら測定値の状態を濃淡やカラーで画像的に表示する。
【００６４】
透明膜状センサ３１および透明表示部３２は、対象物に貼ることができるが容易にはがすこともできるものを使用する。
【００６５】
図１７は、本実施形態の使用の概念図である。検査対象部５０としてケーブル３３を想定したものである。ケーブル３３の通電状態をこのように透明膜状センサ３１と透明表示部３２を組み合わせたものを貼りつけることにより、ケーブル内の通電状態を２次元的に表示することができる。
【００６６】
このように構成された状態可視化装置においては、透明膜状センサ３１を用いることにより、検査対象との相対位置が計測上最も望ましい位置にセットすることができ、相対的な位置ずれによる精度の低下や誤認識を防止することができる。
【００６７】
また、従来検査対象部５０の表面のこれら測定値を直接可視化することで、作業者が直感的に検査対象部５０の表面の状態を把握するが容易に可能となる。
【００６８】
［その他の実施形態］
以上、本発明のいくつかの実施形態を説明したが、これらの実施形態は、例として提示したものであり、発明の範囲を限定することは意図していない。例えば、端子台以外でも同様の電位を有するものであれば本発明が適用できる。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１・・・端子台座
２、２ａ〜２ｄ・・・金属端子（対象導体）
３、３ａ〜３ｄ・・・被覆配電線（対象導体）
４、４ａ〜４ｘ・・・誘導電極
５・・・電圧印加シート（電圧印加部）
６、６ａ〜６ｘ・・・電位表示部
７・・・保護部
８・・・可変電圧発生装置
９・・・誘導電圧測定部
１０・・・印加電圧測定部
１１・・・電位推定部
１２・・・表示制御部
２１・・・間隔測定部 
２２・・・勾配演算部
２３・・・外挿演算部
２４・・・比較選択部
２５・・・推定電位決定部
２６・・・パターンデータ記憶部
３１・・・透明膜状センサ
３２・・・透明表示部
３３・・・ケーブル（対象導体）
５０・・・検査対象部
【図１】
2013207842.tif 000003
【図２】
2013207842.tif 000004
【図３】
2013207842.tif 000005
【図４】
2013207842.tif 000006
【図５】
2013207842.tif 000007
【図６】
2013207842.tif 000008
【図７】
2013207842.tif 000009
【図８】
2013207842.tif 000010
【図９】
2013207842.tif 000011
【図１０】
2013207842.tif 000012
【図１１】
2013207842.tif 000013
【図１２】
2013207842.tif 000014
【図１３】
2013207842.tif 000015
【図１４】
2013207842.tif 000016
【図１５】
2013207842.tif 000017
【図１６】
2013207842.tif 000018
【図１７】
2013207842.tif 000019